【手続補正書】
【提出日】平成20年1月30日(2008.1.30)
【手続補正１】
【補正対象書類名】特許請求の範囲
【補正対象項目名】全文
【補正方法】変更
【補正の内容】
【特許請求の範囲】
【請求項１】
複数の画像を入力する入力手段と、
前記画像を複数のオブジェクト化したデータにオブジェクト化するオブジェクト化手段と、
前記複数のオブジェクト化したデータから検索キーのオブジェクトを設定する設定手段と、
前記複数の画像それぞれについてオブジェクト化したデータが、前記検索キーのオブジェクトを含むか否かを判定する判定手段と、
前記検索キーのオブジェクトを含むと判定した画像を選択的に出力する出力手段とを有することを特徴とする画像処理装置。
【請求項２】
複数の画像を入力する入力手段と、
前記画像を複数のオブジェクト化したデータにオブジェクト化するオブジェクト化手段と、
前記複数のオブジェクト化したデータから第一および第二の検索キーのオブジェクトを設定する検索キー設定手段と、
前記複数の画像それぞれについてオブジェクト化したデータが、前記第一および第二の検索キーのオブジェクトを含むか否かを判定する判定手段と、
前記第一および第二の検索キーのオブジェクトを含むと判定した場合はメモリのフラグをセットし、前記第一の検索キーのオブジェクトだけを含むと判定した場合は前記フラグをリセットするフラグ設定手段と、
前記フラグがセットされている間、前記判定した画像を出力する出力手段とを有することを特徴とする画像処理装置。
【請求項３】
複数の画像を入力する入力手段と、
前記画像を複数のオブジェクト化したデータにオブジェクト化するオブジェクト化手段と、
前記複数のオブジェクト化したデータから検索キーのオブジェクトを設定する設定手段と、
前記複数の画像それぞれについてオブジェクト化したデータが、前記検索キーのオブジェクトを含むか否かを判定する判定手段と、
前記検索キーのオブジェクトを含むと判定した画像は特殊紙を指定して出力する出力手段とを有することを特徴とする画像処理装置。
【請求項４】
前記入力手段は、複数の原稿の画像を連続的に読み取る読取手段であり、さらに、前記出力手段が出力する画像を印刷する印刷手段を有し、
前記オブジェクト化手段および前記出力手段の処理対象画像は、前記読取手段が読み取った各原稿画像であることを特徴とする請求項1から請求項3の何れか一項に記載された画像処理装置。
【請求項５】
複数の画像を入力する入力手段と、
前記画像を複数のオブジェクト化したデータにオブジェクト化するオブジェクト化手段と、
前記複数のオブジェクト化したデータから第一および第二の検索キーのオブジェクトを設定する設定手段と、
前記複数の画像それぞれについてオブジェクト化したデータが、前記第一の検索キーのオブジェクトを含むか否かを判定する判定手段と、
前記第一の検索キーのオブジェクトを含むと判定した画像から前記第二の検索キーのオブジェクトに関連する情報を抽出して、前記抽出した情報を前記画像に合成する合成手段と、
前記第一の検索キーのオブジェクトを含むと判定した場合、前記合成した画像を出力する出力手段とを有することを特徴とする画像処理装置。
【請求項６】
前記入力手段は、複数の原稿の画像を連続的に読み取る読取手段であり、さらに、前記出力手段が出力する画像を印刷する印刷手段を有し、
前記オブジェクト化手段および前記合成手段の処理対象画像は前記読取手段が読み取った各原稿画像であり、前記出力手段は特殊紙を指定して前記合成手段が合成した画像を出力することを特徴とする請求項5に記載された画像処理装置。
【請求項７】
前記第二の検索キーのオブジェクトに関連する情報は、前記第二の検索キーのオブジェクトに続く文字であることを特徴とする請求項5または請求項6に記載された画像処理装置。
【請求項８】
複数の画像を入力する入力ステップと、
前記画像を複数のオブジェクト化したデータにオブジェクト化するオブジェクト化ステップと、
前記複数のオブジェクト化したデータから検索キーのオブジェクトを設定する設定ステップと、
前記複数の画像それぞれについてオブジェクト化したデータが、前記検索キーのオブジェクトを含むか否かを判定する判定ステップと、
前記検索キーのオブジェクトを含むと判定した画像を選択的に出力する出力ステップとを有することを特徴とする画像処理方法。
【請求項９】
複数の画像を入力する入力手段と、
前記画像を複数のオブジェクト化したデータにオブジェクト化するオブジェクト化ステップと、
前記複数のオブジェクト化したデータから第一および第二の検索キーのオブジェクトを設定する検索キー設定ステップと、
前記複数の画像それぞれについてオブジェクト化したデータが、前記第一および第二の検索キーのオブジェクトを含むか否かを判定する判定ステップと、
前記第一および第二の検索キーのオブジェクトを含むと判定した場合はメモリのフラグをセットし、前記第一の検索キーのオブジェクトだけを含むと判定した場合は前記フラグをリセットするフラグ設定ステップと、
前記フラグがセットされている間、前記判定した画像を出力する出力ステップとを有することを特徴とする画像処理方法。
【請求項１０】
複数の画像を入力する入力ステップと、
前記画像を複数のオブジェクト化したデータにオブジェクト化するオブジェクト化ステップと、
前記複数のオブジェクト化したデータから検索キーのオブジェクトを設定する設定ステップと、
前記複数の画像それぞれについてオブジェクト化したデータが、前記検索キーのオブジェクトを含むか否かを判定する判定ステップと、
前記検索キーのオブジェクトを含むと判定した画像は特殊紙を指定して出力する出力ステップとを有することを特徴とする画像処理方法。
【請求項１１】
複数の画像を入力する入力ステップと、
前記画像を複数のオブジェクト化したデータにオブジェクト化するオブジェクト化ステップと、
前記複数のオブジェクト化したデータから第一および第二の検索キーのオブジェクトを設定する設定ステップと、
前記複数の画像それぞれについてオブジェクト化したデータが、前記第一の検索キーのオブジェクトを含むか否かを判定する判定ステップと、
前記第一の検索キーのオブジェクトを含むと判定した画像から前記第二の検索キーのオブジェクトに関連する情報を抽出して、前記抽出した情報を前記画像に合成する合成ステップと、
前記第一の検索キーのオブジェクトを含むと判定した場合、前記合成した画像を出力する出力ステップとを有することを特徴とする画像処理方法。
【請求項１２】
画像処理装置を制御して、請求項8から請求項11の何れか一項に記載された画像処理を実現することを特徴とするコンピュータプログラム。
【請求項１３】
請求項12に記載されたコンピュータプログラムが記録されたことを特徴とするコンピュータが読み取り可能な記録媒体。
【手続補正２】
【補正対象書類名】明細書
【補正対象項目名】０００９
【補正方法】変更
【補正の内容】
【０００９】
本発明にかかる画像処理は、複数の画像を入力し、前記画像を複数のオブジェクト化したデータにオブジェクト化し、前記複数のオブジェクト化したデータから検索キーのオブジェクトを設定し、前記複数の画像それぞれについてオブジェクト化したデータが、前記検索キーのオブジェクトを含むか否かを判定し、前記検索キーのオブジェクトを含むと判定した画像を選択的に出力することを特徴とする。
【手続補正３】
【補正対象書類名】明細書
【補正対象項目名】００１０
【補正方法】変更
【補正の内容】
【００１０】
また、複数の画像を入力し、前記画像を複数のオブジェクト化したデータにオブジェクト化し、前記複数のオブジェクト化したデータから第一および第二の検索キーのオブジェクトを設定し、前記複数の画像それぞれについてオブジェクト化したデータが、前記第一および第二の検索キーのオブジェクトを含むか否かを判定し、前記第一および第二の検索キーのオブジェクトを含むと判定した場合はメモリのフラグをセットし、前記第一の検索キーのオブジェクトだけを含むと判定した場合は前記フラグをリセットし、前記フラグがセットされている間、前記判定した画像を出力することを特徴とする。
【手続補正４】
【補正対象書類名】明細書
【補正対象項目名】００１１
【補正方法】変更
【補正の内容】
【００１１】
また、複数の画像を入力し、前記画像を複数のオブジェクト化したデータにオブジェクト化し、前記複数のオブジェクト化したデータから検索キーのオブジェクトを設定し、前記複数の画像それぞれについてオブジェクト化したデータが、前記検索キーのオブジェクトを含むか否かを判定し、前記検索キーのオブジェクトを含むと判定した画像は特殊紙を指定して出力することを特徴とする。
【手続補正５】
【補正対象書類名】明細書
【補正対象項目名】００１２
【補正方法】変更
【補正の内容】
【００１２】
また、複数の画像を入力し、前記画像を複数のオブジェクト化したデータにオブジェクト化し、前記複数のオブジェクト化したデータから第一および第二の検索キーのオブジェクトを設定し、前記複数の画像それぞれについてオブジェクト化したデータが、前記第一の検索キーのオブジェクトを含むか否かを判定し、前記第一の検索キーのオブジェクトを含むと判定した画像から前記第二の検索キーのオブジェクトに関連する情報を抽出して、前記抽出した情報を前記画像に合成し、前記第一の検索キーのオブジェクトを含むと判定した場合、前記合成した画像を出力することを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】